(57)【要約】      （修正有）【課題】興趣性の高い回転表示装置及び貯金箱を提供する。【解決手段】回転ドラム４の周りに複数の表示パネル８を備え、正面側に位置する上下２枚の表示パネル８，８によって所定の表示を行う回転表示装置において、回転ドラム４を回転駆動するためのドラム駆動手段は、人為的に継続操作可能な操作部を備え、操作部が継続操作されている間、回転ドラム４を回転駆動するように構成されているので、表示のタイミングをある程度ユーザがコントロールすることができる。【選択図】図２
0003160652.tif 000002
【実用新案登録請求の範囲】
【請求項１】
回転ドラムと、
前記回転ドラムの外側に周方向に沿って所定間隔で設けられ該回転ドラムの母線方向に延在する回動軸を介して基端部が該回転ドラムに取り付けられた表示パネルと、
正面側から見て表示パネルが上から下に流れる方向に前記回転ドラムを回転駆動させるドラム駆動手段と、
前記回転ドラムの上方に配置され、表示パネルの第一面に当接することによって該表示パネルを係止可能で、且つ、その係止を前記回転ドラムの回転に伴って解除可能なストッパと、
を備え、
前記回転ドラムの回転駆動が停止された状態で、前記ストッパによって係止された表示パネルのうちで最も正面側に位置する表示パネルの第一面と、その直前に前記ストッパによる係止が解除された表示パネルの前記第一面とは反対側の第二面との少なくとも一方によって所定の内容を表示する回転表示装置であって、
前記ドラム駆動手段は、人為的に継続操作可能な操作部を備え、前記操作部が継続操作されている間、前記回転ドラムを回転駆動することを特徴とする回転表示装置。
【請求項２】
前記ストッパによって係止された表示パネルのうちで最も正面側に位置する表示パネルの第一面と、その直前に前記ストッパによる係止が解除された表示パネルの前記第一面とは反対側の第二面との双方によって所定の内容を表示することを特徴とする請求項１記載の回転表示装置。
【請求項３】
前記ドラム駆動手段は、前記操作部の継続操作が終了後所定時間、前記回転ドラムを回転駆動することを特徴とする請求項１又は２記載の回転表示装置。
【請求項４】
前記所定の内容は規範情報であることを特徴とする請求項１から３いずれか一項記載の回転表示装置。
【請求項５】
前記所定の内容は名言情報又は占い結果情報であることを特徴とする請求項１から３いずれか一項記載の回転表示装置。
【請求項６】
前記操作部は電気スイッチであることを特徴とする請求項１から５いずれか一項に記載の回転表示装置。
【請求項７】
物体の挿入口を備え、前記挿入口に前記物体の一部を挿入することによって前記操作部を操作可能となっていることを特徴とする請求項１から６いずれか一項に記載の回転表示装置。
【請求項８】
請求項７記載の回転表示装置を備え、前記物体はコインであり、前記挿入口はコイン投入口であることを特徴とする貯金箱。
【考案の詳細な説明】
【技術分野】
【０００１】
本考案は、回転表示装置及び貯金箱に関するものである。
【背景技術】
【０００２】
従来、回転表示装置として、回転ドラムの周りに複数の表示パネルを備え、回転ドラムを一旦回転させた後に停止させ、回転ドラムの停止状態で正面側に位置する上下２枚の表示パネルによって所定の表示を行うものが知られている（例えば、特許文献１、２）。
【先行技術文献】
【特許文献】
【０００３】
【特許文献１】特公平４−１３７１５号公報
【特許文献２】特開２００５−１０３３１号公報
【考案の概要】
【考案が解決しようとする課題】
【０００４】
上記特許文献１の回転表示装置は、単に、ゲーム結果を表示するだけのものである。また、上記特許文献２の回転表示装置は、表示パネルに表示されている絵柄を順にアニメーション表示するだけのものである。
このような従来の回転表示装置は、表示のタイミングにユーザが全く関与することができないものであり、その分、興趣性に乏しいものであった。
【０００５】
本考案は、このような問題点に鑑みてなされたもので、興趣性の高い回転表示装置及び貯金箱を提供することを目的としている。
【課題を解決するための手段】
【０００６】
請求項１記載の考案に係る回転表示装置は、
回転ドラムと、
前記回転ドラムの外側に周方向に沿って所定間隔で設けられ該回転ドラムの母線方向に延在する回動軸を介して基端部が該回転ドラムに取り付けられた表示パネルと、
正面側から見て表示パネルが上から下に流れる方向に前記回転ドラムを回転駆動させるドラム駆動手段と、
前記回転ドラムの上方に配置され、表示パネルの第一面に当接することによって該表示パネルを係止可能で、且つ、その係止を前記回転ドラムの回転に伴って解除可能なストッパと、
を備え、
前記回転ドラムの回転駆動が停止された状態で、前記ストッパによって係止された表示パネルのうちで最も正面側に位置する表示パネルの第一面と、その直前に前記ストッパによる係止が解除された表示パネルの前記第一面とは反対側の第二面との少なくとも一方によって所定の内容を表示する回転表示装置であって、
前記ドラム駆動手段は、人為的に継続操作可能な操作部を備え、前記操作部が継続操作されている間、前記回転ドラムを回転駆動することを特徴とする。
【０００７】
請求項２記載の考案に係る回転表示装置は、請求項１記載の回転表示装置において、
前記ストッパによって係止された表示パネルのうちで最も正面側に位置する表示パネルの第一面と、その直前に前記ストッパによる係止が解除された表示パネルの前記第一面とは反対側の第二面との双方によって所定の内容を表示することを特徴とする。
【０００８】
請求項３記載の考案に係る回転表示装置は、請求項１又は２記載の回転表示装置において、前記ドラム駆動手段は、前記操作部の継続操作が終了後所定時間、前記回転ドラムを回転駆動することを特徴とする。
【０００９】
請求項４記載の考案に係る回転表示装置は、請求項１から３いずれか一項記載の回転表示装置において、前記所定の内容は規範情報であることを特徴とする。規範情報とは人が則るべき情報を言う。この規範情報には、慣習、ことわざ、格言、法律等の情報が含まれる。
【００１０】
請求項５記載の考案に係る回転表示装置は、請求項１から３いずれか一項記載の回転表示装置において、前記所定の内容は名言情報又は占い結果情報であることを特徴とする。
【００１１】
請求項６記載の考案に係る回転表示装置は、請求項１から５いずれか一項に記載の回転表示装置において、前記操作部は電気スイッチであることを特徴とする。
【００１２】
請求項７記載の考案に係る回転表示装置は、請求項１から６いずれか一項に記載の回転表示装置において、物体の挿入口を備え、前記挿入口に前記物体の一部を挿入することによって前記操作部を操作可能となっていることを特徴とする。
【００１３】
請求項８記載の考案に係る貯金箱は、請求項７記載の回転表示装置を備え、前記物体はコインであり、前記挿入口はコイン投入口であることを特徴とする。
【考案の効果】
【００１４】
請求項１，２記載の考案によれば、ドラム駆動手段は、人為的に継続操作可能な操作部を備え、操作部が継続操作されている間、前記回転ドラムを回転駆動することができるので、回転ドラムの回転量をユーザが変更することで、表示のタイミングをある程度コントロールすることができる。
【００１５】
請求項３記載の考案によれば、操作部の継続操作が終了後所定時間、回転ドラムを回転駆動するので、その分、表示のタイミングをコントロールするのが難しくはなるが、表示のタイミングをある程度コントロールすることができることには変わりない。
【００１６】
請求項４記載の考案によれば、所定の内容は規範情報であるので、表示結果を行動等に活かすことができる。
【００１７】
請求項５記載の考案によれば、所定内容は名言情報又は占い結果情報であるので、表示結果を、学習、行動、生き方等に活かすことができる。
【００１８】
請求項６記載の考案によれば、操作部は電気スイッチであるので、光学的操作部を用いる場合に比べて、回路の簡素化を図ることができる。
【００１９】
請求項７記載の考案によれば、物体の挿入口を備え、挿入口に物体を一部挿入することによって操作部を操作可能となっているので、無造作に操作部を操作することを防止することができる。
【００２０】
請求項８記載の考案に係る貯金箱は、物体はコインであり、挿入口はコイン投入口であるので、貯金意欲の増大に役立つ。
【図面の簡単な説明】
【００２１】
【図１】本考案に係る貯金箱の外観を示す斜視図である。
【図２】図１の貯金箱の内部構造を右側面から見た場合の断面図である。
【図３】図１の貯金箱の回路構成と動力伝達機構とを示す図である。
【図４】図１の貯金箱の表示パネルの表示情報を示す図である。
【図５】２枚の表示パネルに表示される情報の一例を示す図である。
【図６】２枚の表示パネルに表示される情報の他例を示す図である。
【考案を実施するための形態】
【００２２】
以下に、本考案に係る貯金箱の実施形態について図面を参照しながら説明する。
【００２３】
図１は貯金箱の外観斜視図である。この貯金箱１は立方体形状を呈している。この貯金箱１の前面には矩形の窓２が形成されている。この窓２には透明板２ａが嵌め込まれている。そして、この窓２からは、透明板２ａを通して、後述する表示パネル８が視認できるようになっている。
貯金箱１の上面には窪み（凹部）１ａが形成されている。そして、この窪み１ａの箇所にはコイン投入口３が形成されている。このコイン投入口３は、横長のスリット状に形成されている。このコイン投入口３には、右側から見た断面図（図２）に示すように、コインＣの１つの端面を正面にしてコインＣを立てた状態で投入できるようになっている。なお、コイン投入口３が形成されている窪み１ａは、コインＣの投入の際に、コインＣを摘んだ親指及び人差し指の先が挿入できる大きさとなっている。
【００２４】
図２は貯金箱を右側から見た場合の側面図である。また、図３は回転ドラムの断面図である。
貯金箱１の内部には、回転ドラム４が設置されている。回転ドラム４は、貯金箱１の幅方向に水平に延在する軸５を有している。この回転ドラム４の両端にはそれぞれ回転ドラム４と同心的に円板状のフランジ６，６が一体的に設けられている。各フランジ６には、回転ドラム４の円周方向に所定間隔で軸孔７が形成されている。実施形態のち預金箱１では各フランジ６に合計３０個の軸孔７が形成されているが、その数は限定されない。一方のフランジ６の軸孔７は他方のフランジ６の軸孔７と互いに対向した位置に設けられている。対向する軸孔７，７には、表示パネル８の両端から回転ドラム４の母線方向に沿って水平に突出する軸９が挿入されている。これによって、表示パネル８の基端部は回転ドラム４に対して回動可能に取り付けられている。
【００２５】
図４はドラム駆動手段の構成図である。
貯金箱１の内部には、回転ドラム４を回転駆動させるためのドラム駆動手段１０が設置されている。ドラム駆動手段１０は、貯金箱１の内部に設けられる電池１１を電源とするモータＭと、電気スイッチ１２と、このモータＭの動力を回転ドラム４に伝達する歯車機構１３とから構成されている。
ここでは内部電源として電池１１を用いているが、家庭電源等の外部電源を用いることも可能である。
また、ここではモータＭを動力源として用いているが、他の動力源を用いることもできる。要は、回転ドラム４を回転し得るものであればよい。
電気スイッチ１２は、コイン投入口３の近傍且つ内側に設けられている。すなわち、電気スイッチ１２は、コインＣをユーザが摘んだ状態で、コイン投入口３に挿入した際に、操作し得る位置Ａ（図２参照）に設けられている。電気スイッチ１２として図４にはリーフスイッチが例示されているが、それ以外のスイッチでもよいことは勿論である。要は、コインＣの当接によって操作し得るスイッチであればよい。なお、電気スイッチ１２に代えて、発光部及び受光部を持つ光学的操作手段を用いることもできる。
歯車機構１３は、図示はしないが、モータ軸に設けられた歯車と、中間歯車と、回転ドラムに設けられた歯車１３ａ（図３参照）とによって構成されている。この歯車機構１３は、モータ軸の回転動力を回転ドラム４に伝達するだけの単純な構成となっているので、その詳細は省略する。
このように構成されたドラム駆動手段１０による回転ドラム４の回転駆動方向は、貯金箱１を正面側から見た場合、回転ドラム４の周囲に配置された表示パネル８が上から下に流れる方向である。
【００２６】
再び、図２に戻る。貯金箱１の内部には、回転ドラム４を収容するためのドラム収容室１５が設けられている。ドラム収容室１５は、貯金箱１の側面から見た場合、回転ドラム４を上下及び背後から被覆している。このドラム収容室１５の後ろ側の空間はコイン収容室１６や電池収容室となっている。なお、図示はしないが、貯金箱１には、収容したコインＣの回収や電池の交換のための蓋が設けられている。
【００２７】
ドラム収容室１５は前方が開口している。この開口部１７は、上下２枚の表示パネル８が同時に露出可能な大きさである。
また、開口部１７の縁のうち上側の縁には表示パネル８を係止するためのストッパ１８が設けられている。
このストッパ１８は、回転ドラム４の回転に伴って、ストッパ１８までに至った表示パネル８を係止する。このとき、表示パネル８の第一面が正面側となる。そして、このストッパ１８は、さらに回転ドラム４が回転した際、表示パネル８が下方に引っ張られると、表示パネル８とストッパ１８との当接面積が徐々に減少し、遂には表示パネル８の係止を解除する。表示パネル８の係止が解除されると、表示パネル８が捲られて下方に落ちて表示パネル８の第二面が正面側となる。
【００２８】
続いて、表示パネル８の第一面及び第二面に表示されている文字又は絵柄について説明する。
各表示パネル８の第一面には、１つの規範情報、名言情報又は占い結果情報の一部（情報部分）が表示されている。また、その表示パネル８の第二面には、別の規範情報、名言情報又は占い結果情報の一部（情報部分）が表示されている。この場合、第一面の情報部分と第二面の情報部分とは天地が逆となるように表示されている。なお、実施形態の場合、互いに異なる規範情報、名言情報又は占い結果情報が３０個用意されている。
各情報は、回転ドラム４の円周方向で隣り合う２枚の表示パネル８，８の情報部分の組み合わせによって表示されるようになっている。具体的には、各情報は、回転ドラム４の周方向で隣り合う２枚の表示パネル８，８のうち後行（回転方向後ろ側）の表示パネル８ａの第一面の情報部分と、先行（回転方向前側）の表示パネル８ｂの第二面の情報部分とで表示される。
【００２９】
図５は２枚の表示パネル８，８によって表示される情報の一例である名言情報の概略を示している。この名言情報は、例えば歴史上の偉人の名言自体と、その名言を残した偉人の名前と、その偉人の人物画像とから構成されている。そして、１つの名言情報を構成する名言自体、偉人の名前、及び人物画像が２枚の表示パネル８ａ，８ｂに分散されて表示されている。ここで、表示パネル８ａは後行の表示パネル８を意味し、表示パネル８ｂは先行の表示パネル８を意味している。
【００３０】
図６は２枚の表示パネル８，８によって表示される情報の他例である占い結果情報を示している。この占い結果情報は、運勢情報、性格情報、相性情報、恋愛運情報及び結婚運情報から構成されている。そして、１つの占い結果情報を構成する運勢情報、性格情報、相性情報、恋愛運情報及び結婚運情報が２枚の表示パネル８ａ，８ｂに分散されて表示されている。ここで、表示パネル８ａは後行の表示パネル８を意味し、表示パネル８ｂは先行の表示パネル８を意味している。
【００３１】
次に、貯金箱１の全体の動作を説明する。
コインＣをコイン投入口３から投入する際、コインＣによって電気スイッチ１２がＯＮとなる。これによって、モータＭが作動し、モータ動力が歯車機構１３を通じて回転ドラム４に伝達され、回転ドラム４が回転駆動される。回転ドラム４が回転駆動されると、表示パネル８が次々と捲られる。これらの動作は、コインＣによって電気スイッチ１２を操作している間中行われる。
そして、コインＣの通過によって電気スイッチ１２がＯＦＦされると、モータＭが停止する。これによって、回転ドラム４の回転駆動が停止し、表示パネル８の捲りも停止する。このとき、正面側に位置する上下の２枚の表示パネル８，８によって情報がユーザに与えられる。
【００３２】
以上、本考案の実施形態について説明したが、本考案は、上記実施形態に限定されるものではなく、その要旨を逸脱しない範囲で、種々変形が可能である。
【００３３】
例えば、上記実施形態では、ドラム駆動手段１０を、モータＭ、電気スイッチ１２及び歯車機構１３によって構成したが、タイマー回路を含むモータ駆動回路を含んでもよい。この場合には、電気スイッチ１２がＯＦＦになった後にもモータＭを所定時間作動させておくことができ、その分、回転ドラム４を多く回すことができる。また、ＩＣやＬＳＩ等をさらに設けて、ランダムにその継続時間を変化させることもできる。
【００３４】
また、上記実施形態では、２枚の表示パネル８，８で表示される情報として、名言情報と占い結果情報とを挙げたが、道徳、法律、ことわざ等のような規範情報であってもよいことは勿論である。
【００３５】
また、上記実施形態では、２枚の表示パネル８，８で情報を表示したが、いずれか１枚の表示パネル８で情報を表示してもよい。この場合、表示しない側の表示パネル８を隠蔽してもよい。
【符号の説明】
【００３６】
１    貯金箱
４    回転ドラム
８    表示パネル
１１    電池
１２    電気スイッチ
１３    歯車機構
【図１】
0003160652.tif 000003
【図２】
0003160652.tif 000004
【図３】
0003160652.tif 000005
【図４】
0003160652.tif 000006
【図５】
0003160652.tif 000007
【図６】
0003160652.tif 000008